(57)【特許請求の範囲】
【請求項１】
ＡＬＣ外壁材を貫通したコア抜き孔から支持金具を挿入して該支持金具の表、裏面プレートを上記ＡＬＣ外壁材の表、裏面間に対峙し、表面プレートからＡＬＣ外壁材を通して裏面プレートへ挿入される螺子によって固定し、当該表面プレート外側に縦胴縁又は横胴縁等の下地材を当接または固定して、この下地材に対して新規外壁材を取り付けるための改修装置であって、支持金具が中央縦断面において倒れコ字状の表、裏面プレートと、これら両プレートの内面に溶接等によって固着した橋渡板によって形成され、橋渡板から下方に位置し、表面プレート外側から裏面プレート外側に向かって穿設される貫通孔と、上記裏面プレートの貫通孔に形成された雌ネジ機構と、該雌ネジ機構に螺合可能な螺子とからなることを特徴とするＡＬＣ外壁材の改修装置。
【請求項２】
新規外壁材及びその下地材を支える複数の固定金具の一部が梁、柱等の建物の躯体に固定されていることを特徴とする請求項１に記載のＡＬＣ外壁材の改修装置。
【発明の詳細な説明】
【０００１】
【産業上の利用分野】
本発明は、既存外壁材がＡＬＣ外壁材等の比較的耐衝撃性に劣る部材である軽量気泡コンクリートによって構成されている建物外壁の改修装置に関するものである。
【０００２】
【従来の技術】
気泡コンクリート又は軽量気泡コンクリート（以下、ＡＬＣ外壁材という）は軽量でかつ断熱性、遮音性、耐火性に優れた建材であって、外壁材、間仕切り壁材、床材、屋根材として広く普及している。
【０００３】
これらの長所は多孔質という特性によるが、一方吸水率が高く、防水のための定期的な塗装が避けられず、前処理を含むメンテナンス費用の高騰という問題が発生していた。
【０００４】
ＡＬＣ外壁材が劣化した場合、新しい外壁材と交換する方法も考えられるが、廃材処理や工事費用の点で得策でない。
【０００５】
上記問題点を解決するために、既存の外壁材の表面に新規外壁材を取り付け、ＡＬＣ外壁材の特性を残しながら、建物表面を綺麗に改修する工法として、特開平１１−９３３７４号公報（以下、参考例１という）及び特開平１１−１２４９８０号公報（以下、参考例２という）、特願２０００−３３７４０１号公報（以下、参考例３という）が開発されている。
【０００６】
従来技術の参考例１では「・・・既設のアングル等の下地鋼材（３）にボルト（４）を敷設し・・・」のように下地鋼材との接触面積に限界（強度が足りない）があり、さらに「・・・被覆材（６）と既設のＡＬＣパネルとを接合・・・」する記載があって、既設のＡＬＣパネルがアンカーボルトの使用によって脆弱になる危険を持っている。
【０００７】
従来技術の参考例２では「・・・コア抜き孔４０から支持金具を挿入・・・」する記載があるものの施工位置はＨ鋼製梁のピッチ、一般的に１２００ミリメートルと大きくなり、ピッチ途中の新規外壁材に加わる負圧の影響が大きいものであます。  したがって本願発明の「・・・既存ＡＬＣ外壁材の表、裏面間に対峙・・・固定し・・・」の技術構成との相違は明白で、施工性において大きく劣るものであります。
【０００８】
従来技術の参考例３では「・・・コア抜き孔と支持金具・・・」の記載があるものの、本願発明の「・・・螺子によって螺合固定する・・・」の技術構成が存在しないため、支持具を定められた位置に確実に固定することは期待できないものであります。
【発明が解決しようとする課題】
【０００９】
【発明が解決しようとする課題】
本発明はこのような課題を解決するために、既存ＡＬＣ外壁材の外側に新規外壁材を取り付けるための固定金具を、既存ＡＬＣ外壁材に懸かる荷重を最小とし、該ＡＬＣ外壁材を損傷しないようにした改修装置を提供することを目的としている。
【００１０】
【課題を解決するための手段】
既存ＡＬＣ外壁材を貫通したコア抜き孔から支持金具を挿入して該支持金具の表、裏面プレートを上記ＡＬＣ外壁材の表、裏面間に狭持し、螺子によって固定した後に、当該支持金具に縦胴縁又は横胴縁を当接または固定し、その外側に新規外壁材を取り付ける改修装置であって、支持金具が中央縦断面において倒れコ字状に対峙した表、裏面プレートと、これら両プレートの内面に固着した橋渡板と、この橋渡板から下方に位置し、表面プレート外側から裏面プレート外側に向かってＡＬＣ外装材も含めて穿設された貫通孔と、この貫通孔を通して定められた位置に固定できる螺子とからなることを特徴とする。
【００１１】
【発明の実施の形態】
第１実施例の支持金具２は、図１に示すように両端に一辺５０ミリの正方形表面プレート３と５０ミリの円形裏面プレート４を備え、上端近傍に断面長方形状の橋渡板５で連結した中央縦断面が倒れコ字状板であって、表面プレート外側３ａからＡＬＣ外壁材Ａを通して裏面プレート外側４ａに至る部分に予め開けた貫通孔６であって、特に裏面プレート４には螺子８が嵌合可能な種々の雌ネジ機構７が加工されている。
【００１２】
図２は施工順序を示す説明図である。図示しないが支持金具２の取付ガイドによってＡＬＣ外装材表面Ａ１の所定の場所にφ５０のホールソー及びφ１０のキリでコア抜き孔１、貫通孔６が穿設される。このコア抜き孔１に対し、支持金具２の裏面プレート４側から差し込み、ＡＬＣ外壁材の裏面Ａ２に垂直に落とし込み螺子８を表面プレート外側３ａから貫通孔６を通して裏面プレートの雌ネジ機構７に固定する。さらに抜いたＡＬＣ外壁材のコア１ａを元の位置に戻し、隙間にシーリング材１０を注入し止水処理を施す。また必要により不陸調整用ゴムパッドを表面プレート外側３ａに張り付け新規外壁材Ｃの下地材Ｂが取り付けられるものである。
【００１３】
図３は本発明の支持金具２を用いた改修装置９の一部拡大断面を示す説明図であるが、表面プレート外側３ａから裏面プレート外側４ａに向かって螺子８が貫通孔６に挿入され、裏面プレートの下方にバーリング加工１２を施された雌ネジ機構７が形成され、嵌合の容易性、安定性が図られている。
【００１４】
バーリング加工１２による雌ネジ機構７は、図３のように裏面プレート４本体をそのまま加工することもできるが、図９に示すように別部材で各種雌ネジ機構７を形成し、裏面プレート４と複合一体化することもできる。（ａ）は内ネジを加工した逆Ｔ型、（ｂ）は内ネジを施した倒れＨ型、（ｃ）は内ネジを加工したＴ型、（ｄ）はテーパ付き逆Ｔ型、（ｅ）はテーパ付きＴ型、（ｆ）は内、外ネジ付き逆Ｔ型である。
【００１５】
図４は改修装置９の中央縦断面を示すものであるが、螺子８がＡＬＣ外壁材Ａを貫通して改修装置９の位置決めを確実なものとしている。なお実施例においては鉛直下方に貫通孔６を穿設した例を示しているが、コア１ａを中心に円周近傍の任意の位置に穿設することもできる。
【００１６】
図５はその他の実施例を示すものである。ＡＬＣ外壁材Ａを貫通する支持金具２が複数存在する中で、一部を建物の躯体Ｅに直接固定する構成とした例を示す説明図であり、梁等の建物躯体Ｅに円筒状の固定金具Ｄが固定され、支持金具２と混在して使用されている。図５では縦張りの新規外壁材Ｃの例を示しているが、横張り、斜め張り等外壁材形状は必要により種々採用できるものである。
【００１７】
図６は上記した図５の主要部分を抽出して示した断面図であり、新規外壁材Ｃ及び下地材Ｂの荷重の殆どが固定金具Ｄを介して躯体Ｅに加わるため、支持金具２がＡＬＣ外壁材Ａへ与える影響は少ない。
【００１８】
図７、８は本願発明に係る支持金具２のその他の実施例を示している。すなわち図７（ａ）は裏面プレート４を四角とし、表面プレート３を半円形とし、さらに橋渡板５横断面をコア１ａ円周弧とほぼ同一径としたもの、（ｂ）は（ａ）において裏面プレート４を大型とし、中半分以上をストッパ片１１としたもの、（ｃ）は実施例において橋渡板５をコア１ａの円周弧とほぼ同一径とすると共に、裏面プレート４へ向かって幅ΔＷが漸次減少するように形成したもの、（ｄ）は上記（ｂ）において、裏面プレート４のストッパ片１１の大きさを１／３程度とし、表面プレート３を四角形状としたもの、（ｅ）は（ｄ）において裏面プレート４を縦長円形状とした場合、（ｆ）は（ｅ）においてストッパ片１１を全高さの１／５程度の僅かな突出とした例を示している。
【００１９】
図８（ａ）は図７（ｄ）においてストッパ片１１を形成しない例、（ｂ）は表、裏両プレート３、４を半円状に形成したもの、（ｃ）は上記（ａ）、（ｂ）を組み合わせたもの、（ｄ）は表、裏両プレート３、４を円形状に形成し、橋渡板５を断面長方形としたもの、（ｅ）は上記（ｄ）において両プレート３、４を正方形状としたもの、（ｆ）は両プレート３、４を洋梨状としたもの、（ｇ）は上記（ｄ）、（ｆ）を組み合わせた表、裏面プレート３、４とした支持金具２である。
【００２０】
【発明の効果】
以上説明したように本発明に係るＡＬＣ外壁材の改修装置によれば、（１）既存のＡＬＣ外壁材を解体する必要がないので、工期の短縮、居住や利用の中断等に支障がない。（２）施工工程数を最小とすることでトータルコストを削減できる。（３）既存壁と新規壁の２重壁構造となるため、断熱、防音、防火性に富む。（４）支持金具が施工の際にふらついたり、地震等で変位する等がなく、新規外壁材の下地施工が安定したものとなる。（５）既存のＡＬＣ壁に係る荷重を最小とすることができると共に、新規壁材の取付強度も十分確保できる。（６）取付ガイドの使用により、安定した支持金具の施工が可能となる。（７）既存外壁材を残した改修であるため、防火性能基準の問題もクリアーできる。等の特徴、効果がある。
【図面の簡単な説明】
【図１】  本発明に係るＡＬＣ外壁材の改修装置の代表例を示す説明図である。
【図２】  本発明に係るＡＬＣ外壁材の改修手順を示す説明図である。
【図３】  本発明に係るＡＬＣ外壁材の改修装置の施工状態を示す説明図である。
【図４】  本発明に係るＡＬＣ外壁材の改修装置の施工状態を示す説明図である。
【図５】  本発明に係るＡＬＣ外壁材の改修装置の施工状態を示す説明図である。
【図６】  本発明に係るＡＬＣ外壁材の改修装置の施工状態を示す説明図である。
【図７】  本発明に係るＡＬＣ外壁材の改修装置のその他の実施例を示す説明図である。
【図８】  本発明に係るＡＬＣ外壁材の改修装置のその他の実施例を示す説明図である。
【図９】  バーリング加工のその他の実施例を示す説明図である。
【符号の説明】
Ａ  ＡＬＣ外壁材
Ａ１  ＡＬＣ外壁材の表面
Ａ２  ＡＬＣ外壁材の裏面
Ｂ  縦胴縁又は横胴縁等の下地材
Ｃ  新規外壁材
Ｄ  固定金具
Ｅ  ＡＬＣ外壁材の躯体
１  コア抜き孔
１ａ  コア
２  支持金具
３  表面プレート
３ａ  表面プレート外側
４  裏面プレート
４ａ  裏面プレート外側
５  橋渡板
６  貫通孔
７  雌ネジ機構
８  螺子
９  改修装置
１０  シーリング材
１１  ストッパ片
１２  バーリング加工
【図１】
0004514979.tif 000002
【図２】
0004514979.tif 000003
【図３】
0004514979.tif 000004
【図４】
0004514979.tif 000005
【図５】
0004514979.tif 000006
【図６】
0004514979.tif 000007
【図７】
0004514979.tif 000008
【図８】
0004514979.tif 000009
【図９】
0004514979.tif 000010